(57)【特許請求の範囲】
【請求項１】
内部に浄化通路を設けた本体と、一端を便器内に開口し、前記本体に着脱自在な吸入部と、前記浄化通路内に設けられた脱臭部と、前記脱臭部の下流側に設けられた送風機と、前記本体の外面に設けた操作部および人体を検知する検知部または前記検知部のみを具備し、前記吸入部は、前記本体に設けた第１の係合部に係止する対向した１対の第１の係止部と、前記第１の係止部を設けた吸入部の側面に隣接した側面に第２の係止部を設けるとともに、前記第２の係止部を係止する第２の係合部を前記本体に１対設け、前記第２の係止部を前記第２の係合部のいずれか一方に選択的に嵌合させて前記吸入部を前記本体に対して相反する２方向から取付け可能としたトイレ脱臭装置。
【発明の詳細な説明】
【０００１】
【発明の属する技術分野】
本発明は、便器から発生する臭いを除去するトイレ脱臭装置に関するものである。
【０００２】
【従来の技術】
従来、この種のトイレ脱臭装置は、例えば図９に示すように、吸引部１を便器２のリム３に引掛けて設置し、便器２内から発生する臭いを吸引部１で吸引し、本体４内で脱臭するようにしたものが一般的であり、便器２の左側または右側のいずれにでも設置可能なように、本体４に対して吸引部１の取付方向が変えられるように構成していた。
【０００３】
【発明が解決しようとする課題】
しかし、このような従来のトイレ脱臭装置では、便器２のリム３に吸引部１を引掛けて使用するので、本体４の自重等により本体４と吸引部１との間に隙間ができ、その隙間から空気が流入するため、便器２内の臭いを吸引部１から効率よく吸引することができないという問題を有していた。
【０００４】
本発明は、上記課題を解決するもので、便器内の臭いを効率よく吸引するとともに、着脱自在な吸入部の構成を堅牢にすることを目的としている。
【０００５】
【課題を解決するための手段】
本発明は上記第１の目的を達成するために、本体と吸入部を結合する１対の第１の係止部を設けるとともに、前記第１の係止部を設けた吸入部の側面に隣接した側面に、第２の係止部を設けるとともに、第２の係止部を係止する第２の係合部を本体に１対設け、第２の係止部を第２の係合部のいずれか一方に選択的に嵌合させて吸入部を本体に対して相反する２方向から取付け可能としたものである。
【０００６】
これにより、本体と吸引部との間に隙間をなくして便器以外からの空気の流入を防止するとともに、上方から吸引部に加わる外力に対して本体との強固な結合が得られる。さらに、トイレ脱臭装置を便器に対して左右どちらに取付けた場合においても上記の効果が得られる。
【０００７】
【発明の実施の形態】
本発明の請求項１に記載の発明は、内部に浄化通路を設けた本体と、一端を便器内に開口し、前記本体に着脱自在な吸入部と、前記浄化通路内に設けられた脱臭部と、前記脱臭部の下流側に設けられた送風機と、前記本体の外面に設けた操作部および人体を検知する検知部または前記検知部のみを具備し、前記吸入部は、前記本体に設けた第１の係合部に係止する対向した１対の第１の係止部と、前記第１の係止部を設けた吸入部の側面に隣接した側面に第２の係止部を設けるとともに、前記第２の係止部を係止する第２の係合部を前記本体に１対設け、前記第２の係止部を前記第２の係合部のいずれか一方に選択的に嵌合させて前記吸入部を前記本体に対して相反する２方向から取付け可能としたものであり、本体と吸入部との間に隙間をなくして便器以外からの空気の流入を防止し、便器内の臭いを効率よく除去することができるとともに、便器に引掛けて装着している吸入部に、使用時に誤って上方から外力が加わった場合でも、本体との強固な結合が得られる。さらに、トイレ脱臭装置を便器に対して左右どちらに取付けた場合においても上記の効果が得られる。
【０００８】
【実施例】
以下、本発明の実施例について、図面を参照しながら説明する。
【０００９】
（実施例１）
図１〜図４に示すように、１０は内部に浄化通路１１を設けた本体で、その上部には、一端を下向きに屈曲させて便器内に開口した吸引口１２を有する吸入部１３を着脱自在に取付けている。１４は浄化通路１１内に設けられた臭いを吸着する吸着体を有した脱臭部で、この脱臭部１４の下流側に送風機１５を設けている。この送風機１５は、ＡＣアダプター（図示せず）を介して変換された直流電源によって駆動する。
【００１０】
吸入部１３は、本体１０の上部に平行に設けた第１の係合部１６に摺動自在に係止する対向した１対の第１の係止部１７と、この第１の係止部１７を設けた吸入部１３の側面１３ａに隣接する側面で、吸引口１２と反対側の側面１３ｂに第２の係止部１８を設けている。
【００１１】
本体１０に設けた第２の係合部１９ａ、１９ｂは、吸入部１３に設けた第２の係止部１８に対向して吸入部１３の側面１３ｂと連設する本体１０の側面１０ａと、吸入部１３の側面１３ｂの反対側の本体１０の側面１０ｂに、内方に向かって対向するように凹設してあり、一対形成している。吸入部１３は本体１０に対して相反する２方向から取付けることができ、吸入部１３に設けた第２の係止部１８を、第２の係合部１９ａ、１９ｂのいずれか一方に選択的に嵌合させることができる。
【００１２】
２０は本体１０に設けた人体を検知する検知部で、この検知部２０に対向する位置に人体が接近するとこれを検知して送風機１５を駆動させ、人体がこの検知部２０の検知範囲外に遠ざかると送風機１５の駆動を停止するようにしている。２１は送風機１５を本体１０内に固定する固定部である。
【００１３】
上記構成によれば、検知部２０が人体を検知すると送風機１５が駆動し、吸引口１２から吸入部１３を通して浄化通路１１内に吸引した便器内の臭いを、脱臭部１４で脱臭して排気口２２から排出される。このとき、便器内より吸引された臭いは、脱臭部１４の吸着体により空気中に含有されている臭いの成分が吸着されるので、排気口２２より排出される空気は無臭となっている。
【００１４】
また、吸入部１３は本体１０の第１の係合部１６と第１の係止部１７で着脱自在に結合するとともに、結合された状態では、第２の係止部１８が第２の係合部１９ａ、１９ｂのいずれか一方に嵌合する。すなわち、吸入部１３を本体１０に対して矢印イ方向へ摺動させると、第２の係止部１８は第２の係合部１９ａに嵌合し、反対に、吸入部１３を本体１０に対して矢印ロ方向へ摺動させると、第２の係止部１８は第２の係合部１９ｂに嵌合する。
【００１５】
これにより、本体１０と吸引部１３との間に隙間をなくして、便器以外からの浄化通路１１内への空気の流入を防止するとともに、使用時等に上方から吸入部１３に外力が加わると、本体１０は便器にその側面１０ｂの下方が当接して支持されているため、吸入部１３の摺動方向と逆方向、つまり、矢印イ方向に摺動させて本体１０に結合させたときは、矢印ハ方向へ変位させる力が作用し、矢印ロ方向に摺動させて本体１０に結合させたときは、矢印ニ方向へ変位させる力が作用する。
【００１６】
第２の係止部１８は、このような本体１０と吸入部１３の結合部に作用する応力に対して強固な結合が得られるものである。このような吸入部１３の着脱構造は、本体１０に検知部２０を設けることによって便器に設置する際に方向性が生じることによるものである。
【００１７】
（実施例２）
図５に示すように、本体２３の外面に操作部２４を設け、この操作部２４を本体２３の外郭を構成する面に形成するとともに、前記操作部２４に人体を検知する検知部２５と、この検知部２５で検知した信号により送風機１５の駆動を制御する制御部２６と、前記検知部２５を操作体２７によってオン、オフする手動スイッチ２８を設けたもので、操作部２４の表面を薄いフィルム状の操作プレート２９で覆っている。他の構成は実施例１と同じである。
【００１８】
上記構成によれば、検知部２５は操作部２４に固定して本体２３に取付けているので、本体２３の外郭を形成する操作部２４との距離を一定に保つことができ、検知部２５の感度にバラツキを生じさせることがない。したがって、人体の検知精度をよくして誤動作を少なくすることができるとともに、手動スイッチ２８の操作が長期に亘って行なわれた場合でも、その外力によって検知部２５と操作部２４との相対位置が変位することなく、安定した検知を行なうことができる。
【００１９】
（実施例３）
図６および図７に示すように、送風機１５を本体１０の内部に固定する複数の固定部３０を有し、前記固定部３０は、送風機１５の外周部に対向して本体１０の内面に突出させた保持体３１と、この保持体３１に挿入したゴム等の弾性を有する円筒形の支持体３２で構成し、支持体３２は、同支持体３２を内側から支持する複数の保持部３０ａの中間部が送風機１５に当接するようにしたものである。保持体３１は一文字形状にしてその両端部に保持部３１ａを形成している。他の構成は上記実施例１と同じである。
【００２０】
上記構成によれば、送風機１５が駆動したときの振動を、弾性を有する円筒形の支持体３２で緩衝吸収することができ、使用時の駆動音と振動を簡単な構成で少なくして、快適な使用感を得ることができる。
【００２１】
（実施例４）
図８に示すように、送風機１５の外周部に対向して本体１０の内面に突出させた保持体３３を三角筒状に形成し、３箇所の保持部３３ａで支持体３１を内側から支持するようにしたもので、保持体３３に形成した保持部３３ａによって２箇所以上で支持体３１を支持することができるようにしたものである。他の構成は上記実施例１と同じである。
【００２２】
上記構成によれば、保持部３３ａにより２箇所以上で支持された支持体３１で送風機１５から本体１０への振動の伝達を緩衝するので、駆動音を低くすることができる。
【００２３】
なお、送風機１５と接触する支持体を保持する保持体は、図１に示す十字状に形成してもよく、要は、複数の保持部で支持された支持体の中間部が送風機１５と当接するようにすればよい。
【００２４】
【発明の効果】
以上のように本発明の請求項１に記載の発明によれば、内部に浄化通路を設けた本体と、一端を便器内に開口し、前記本体に着脱自在な吸入部と、前記浄化通路内に設けられた脱臭部と、前記脱臭部の下流側に設けられた送風機と、前記本体の外面に設けた操作部および人体を検知する検知部または前記検知部のみを具備し、前記吸入部は、前記本体に設けた第１の係合部に係止する対向した１対の第１の係止部と、前記第１の係止部を設けた吸入部の側面に隣接した側面に第２の係止部を設けるとともに、前記第２の係止部を係止する第２の係合部を前記本体に１対設け、前記第２の係止部を前記第２の係合部のいずれか一方に選択的に嵌合させて前記吸入部を前記本体に対して相反する２方向から取付け可能としたから、便器内の臭いを効率よく吸引するとともに、本体に対して着脱自在な吸入部の構成を堅牢にすることができる。さらに、トイレ脱臭装置を便器に対して左右どちらに取付けた場合においても上記の効果が得られる。
【図面の簡単な説明】
【図１】  本発明の実施例１のトイレ脱臭器の斜視図
【図２】  同トイレ脱臭器の本体の要部断面図
【図３】  同トイレ脱臭器の吸入部の下面図
【図４】  同トイレ脱臭器の吸入部の要部断面図
【図５】  本発明の実施例２のトイレ脱臭器の操作部の要部断面図
【図６】  本発明の実施例３のトイレ脱臭器の固定部の一部切欠上面図
【図７】  同トイレ脱臭器の固定部の要部断面図
【図８】  本発明の実施例４のトイレ脱臭器の固定部の一部切欠上面図
【図９】  従来のトイレ脱臭器の斜視図
【符号の説明】
１０    本体
１１    浄化通路
１３    吸入部
１４    脱臭部
１５    送風機
１６    第１の係合部
１７    第１の係止部
１８    第２の係止部
１９ａ  第２の係合部
１９ｂ  第２の係合部
【図１】
0003770086.tif 000002
【図２】
0003770086.tif 000003
【図３】
0003770086.tif 000004
【図４】
0003770086.tif 000005
【図５】
0003770086.tif 000006
【図６】
0003770086.tif 000007
【図７】
0003770086.tif 000008
【図８】
0003770086.tif 000009
【図９】
0003770086.tif 000010